(57)【特許請求の範囲】
【請求項１】
スキー（１０）の前後方向に長く形成された第１の板状要素（１２）と、スキー（１０）の前後方向に長く形成された第２の板状要素（１３）を備え、各板状要素（１２、１３）の前後端部は、一方の端部が、固定手段（３６、３９、３９ａ）によりスキー（１０）に固定される固定端部（２５、２６）となっており、他方が保持手段（３６、３８、３９ｂ）によりスキー（１０）に対して前後方向にスライド可能に保持される可動端部（２４、２７）となっており、ブーツを前後から挟持するスキーバインディングのつま先ユニット（４２）が上記板状要素（１２、１３）の前端部の近傍に配置され、かかとユニット（４４）が上記板状要素（１２、１３）の後端部の近傍に配置されたスキーの効率及びコントロール性能を改良するための装置において、
上記２つの板状要素（１２、１３）は、スキー（１０）の上面に配置されると共に、スキーの重心を含む同一の前後方向範囲内に配置され、
第１の板状要素（１２）は、前端部がスライド可能な可動端部（２４）となっており、後端部がスキー（１０）に固定された固定端部（２５）となっており、
第２の板状要素（１３）は、前端部がスキーに固定された固定端部（２６）となっており、後端部がスライド可能な可動端部（２７）となっており、
つま先ユニット（４２）は第１の板状要素（１２）の前端可動端部（２４）の近傍位置に固定され、かかとユニット（４４）は第２の板状要素（１３）の後端可動端部（２７）の近傍位置に固定されていることを特徴とするスキーの効率及びコントロール性能を改良するための装置。
【請求項２】
上記２つの板状要素（１２、１３）は独立していることを特徴とする請求項１記載の装置。
【請求項３】
上記第１の板状要素（１２）の前部分（１４）は第２の板状要素（１３）の前部分（１６）の上側に配置され、
上記第１の板状要素（１２）の後部分（１５）は第２の板状要素（１３）の後部分（１７）の下側に配置され、
第１の板状要素（１２）の前部分（１４）と後部分（１５）との間の部分と、第２の板状部分の前部分（１６）と後部分（１７）との間の部分は、側方から見て交叉していることを特徴とする請求項１又は２記載の装置。
【請求項４】
上記つまさきユニット（４２）とかかとユニット（４４）をそれぞれ支持している上記板状要素（１２、１３）の部分は、スキー（１０）の上面よりも高位置にあることを特徴とする請求項１〜３のいずれかに記載の装置。
【請求項５】
第１の板状要素（１２）の前部分（１４）と第２の板状要素（１３）の前部分（１６）の間にはダンピング要素（２１）が挿入され、
第１の板状要素（１２）の後部分（１５）と第２の板状要素（１３）の後部分（１７）の間にはダンピング要素（２２）が挿入され、
上記第１の板状要素（１２）の後部分（１５）及び第２の板状要素（１３）の前部分（１６）と、スキー（１０）の間にはダンピング要素（２３）が挿入されていることを特徴とする請求項３又は４記載の装置。
【請求項６】
上記板状要素（１２、１３）は、前後の端部（２４、２５、２６、２７）に対して、中間の前部分（１４、１６）、後部分（１５、１７）及び中央部分（１８、１９）が高くなっている薄板材によりそれぞれ構成されており、
第１の板状要素（１２）は、前部分（１４）と後部分（１５）が異なる高さに形成される共に、両部分（１４、１５）が中央の傾斜部分（１８）によって結合されており、
第２の板状要素（１３）は、前部分（１６）と後部分（１７）が異なる高さに形成される共に、両部分（１６、１７）が中央の傾斜部分（１９）によって結合されており、
上記各傾斜部分（１８、１９）の一方には前後方向に長い縦長のスロット孔（２０）が形成され、他方は上記スロット孔（２０）を通過できるように幅狭に形成されていることを特徴とする請求項１〜５のいずれかに記載の装置。
【請求項７】
上記板状要素（１２、１３）は、前後の端部（２４、２５、２６、２７）に対して、中間の前部分（１４、１６）、後部分（１５、１７）及び中央部分（１８、１９）が高くなっている薄板材によりそれぞれ構成されており、
第１の板状要素（１２）は、前部分（１４）と後部分（１５）が異なる高さに形成される共に、両部分（１４、１５）が中央の傾斜部分（１８）によって結合されており、
第２の板状要素（１３）は、前部分（１６）と後部分（１７）が異なる高さに形成される共に、両部分（１６、１７）が中央の傾斜部分（１９）によって結合されており、
上記各傾斜部分（１８、１９）は、上方から見て並ぶように幅狭に形成されていることを特徴とする請求項１〜６のいずれかに記載の装置。
【請求項８】
上記板状要素（１２、１３）の固定端部（２５、２６）及び可動端部（２４、２７）は、平面状に形成されると共に前後方向に長い縦長のスロット孔（３２、３３、３４、３５）が形成され、
両板状要素（１２、１３）の前端部（２４、２６）及び後端部（２５、２７）をスキー（１０）に固定又はスライド可能に保持するための支持用の要素（３９）として、上記縦長のスロット孔（３２、３３、３４、３５）の内面形状に合致する縦長形状を有する部分（３９ａ）と、スロット孔（３２、３３、３４、３５）に相対的に前後方向に移動可能に係合する四角柱状の部分（３９ｂ）を有する要素（３９）を、両板状部材（１２、１３）の前後端部に対応するスキー（１０）の上面位置に、ねじ（３６）及びプレート（３８）により固着し、
前後に配置された支持用の要素（３９）のうち、前側の支持用の要素（３９）の縦長形状の部分（３９ａ）には、第２の板状要素（１３）の前端固定端部（２６）のスロット孔（３４）を、ロック状態に嵌合し、前側の支持用の要素（３９）の四角柱状の部分（３９ｂ）には、第１の板状要素（１２）の前端可動端部（２４）のスロット孔（３２）を前後方向スライド可能に嵌合し、
前後に配置された支持用の要素（３９）のうち、後側に配置された上記支持用の要素（３９）の縦長形状の部分（３９ａ）には、第１の板状部材（１２）の後端固定端部（２５）のスロット孔（３３）をロック状態に嵌合し、後側に配置された上記支持用の要素（３９）の四角柱状の部分（３９ｂ）には、第２の板状要素（１３）の後端可動端部（２７）のスロット孔（３５）を前後方向スライド可能に嵌合していることを特徴とする請求項１〜７のいずれかに記載の装置。
【請求項９】
上記板状要素（１２、１３）は、スキーバインディングのつま先ユニット（４２）とかかとユニット（４４）を固定するための孔（４１、４３）を有していることを特徴とする請求項１〜８のいずれかに記載の装置。
【発明の詳細な説明】
技術分野
この発明は、スキーの効率及びコントロール性能を改良するための装置に関する。
背景技術
知られているように、スキー形状の特徴の１つは、スキーの面が湾曲していることであり、上向き凸状を形成するように両端部に対して中央領域が高くなっている。
使用中は、スキーを形成している材料の弾力性による凸状を平坦にしようとする圧力がスキーにかかっている。
これは、特にカーブを通り抜ける時に発生し、そして、スキーの効率及びコントロールに思わしくない結果をもたらす。
特に、スキーの凸状の連続的な変化によって、ブーツが重心上に位置することを考慮してスキーバインディングを形成しているつま先ユニットとかかとユニットの両要素間の距離も変化する。
アルペン競技でのスキー滑降においては、スキーにかかる圧力は非常に高くなるため、コントロールの困難性、予期せぬバランスの喪失、継続的な姿勢修正の必要性及び選手の脚への振動伝達を引き起こす。
上記欠点を減らすために、ふつう、パッドと呼ばれる装置が装着されており、そして現在広く使用されている。上記装置はスキーとバインディングの間に挿入されている。
しかしながら今までのところ、スキーの方向制御を満足に行うことができる有用な装置はない。
これらの装置の中で、最初のものは、スキーにしっかりと固定された後端部と、上記スキーに平行にスライドするように保持された前端部とを有する金属製薄板で構成されており、金属製薄板とスキーの間には弾性材の層が設けられ、そして、バインディングが固定されている薄板の中央部分は、高くなっている。
この装置の場合は、バインディングのつま先ユニットとかかとユニットの間の距離は一定に保たれるが、スキーの重心に対するその位置は、変化し易くなる。
たとえば、伸びているときには、つま先ユニット及びそれに伴うブーツは、スキーヤーとスキーとの間の位置的な関係で結果として変化を伴って、前方に移動する（重心が移動する）。
この装置の使用に際してのもう１つの欠点は、その前部分が可動であることにより、主にその前部分で扱われるスキーの操向性及びコントロール性を一層悪化させ、結果として不正確な軌道の設定、継続的な修正の必要性及び結果としての速度の制限を伴うことである。
第２のタイプの装置は上記装置に似ており、バインディングのつま先ユニットは、スキーに剛直に結合された２つのサポートに固定されており、かかとユニットとして、縦長方向にスライド自在な金属製薄板が使用されている。
これはカーブ軌道の身のこなしを向上させているが、かかとユニットがスキー及びつま先ユニットに対し可動となっているので、ブーツとバインディングの間及びそれに伴うブーツとスキーの間の位置関係が一定でなくなり、スキーのコントロールを不正確にする。
第３のタイプの装置は、かかとユニットとつま先ユニットが固定される箇所に、２つの高くなった部位を有するように形成された金属製薄板を有している。
薄板はその前と後の両方でスキーに固定されており、前記薄板が高くなっている部位に弾性材料の層が配置されている。
この装置は、スキーから選手の脚に伝わる振動を吸収するという唯一はっきりした効果を有している。
EP-A-510 308には、少なくとも２つの細長い板状要素からなる装置が提案されており、各板状要素は、スキーに固定されるための手段を有する一端部と、スキーに対して長さ方向にスライド可能に保持する保持手段を有する可動端部を有しており、つま先ユニットとかかとユニットが上記端部の一つに近接して固定されている。
しかし、かかる装置において、上記ユニットの取付は、スキー自身に直接固着する構造となっている。この構造によると、スキーが撓んだ時、上記ユニット間の距離は互いに縮まるか減少する傾向になり、それにより、スキー上の重心が正規の位置からはずれるかも知れない。全体として、EP-A-510 308の装置は、振動を低減できるが、振動の発生を防止することはできない。
発明の開示
本願発明の狙いは、前述の知られたタイプにおける各欠点を解消あるいは実質的に減少し、スキーの効率及びコントロール性能を改良する新しい装置を提供することである。
それに続く最初の目的は、スキーに対して変動しないブーツの位置を保持すると共にスキーヤーのための重心位置を維持する、スキーの効率及びコントロール性能を改良する装置を提供することである。
別の重要な目的は、スキーの縦長方向の動きをコントーロールしかつ調節できる装置を提供することである。
別の重要な目的は、より速いスキー滑走を達成できる装置を提供することである。
別の目的は、いかなる状況、特にカーブを通過する時のスキーコントロールを改良することである。
別の目的は、従来の設備及び施設で製造できる装置を提供することである。
この狙い、以下の説明で明確になるであろうこれらの目的及びその他は、少なくとも２つの長く形成された板状要素からなり、各板状要素は、スキーに固定するための手段を備えた第１の端部と、スキーに対して第２の端部を長さ方向にスライド可能とする保持手段を備えた上記第２の端部とを有し、スキーバインディングのつま先ユニット又はかかとユニットが上記端部の一つあるいは端部近辺に固定されていることを特徴とするスキーの効率及びコントロール性能を改良するための装置によって、達成される。
【図面の簡単な説明】
さらに、本願発明の特徴及び利点は、添付図面に単に非制限的な例として記載された次の実施例の詳細な説明により明らかになるであろう。
図１は、スキーに適用した装置の透視図である。
図２は、本願装置の縦断面透視図である。
図３は、本願装置の分解組立図である。
図４は、本願装置の平面図である。
図５及び図６は、本願装置の各端部の縦断面図である。
図７は、本願装置に含まれる要素の透視図である。
発明の実施の態様
上記各図を参照して、本願発明による装置であって、スキー１０の上部重心領域に好都合に適用される装置は、参照符号１１によって全体として示されており、長く形成された２つの金属製薄板、それぞれ第１薄板（第１の板状要素）１２及び第２薄板（第２の板状要素）１３、から構成され、それらはアルミニウム合金あるいはそれと同等の材料から適宜作られている。
第１薄板１２及び第２薄板１３は、それらの端部から傾斜平面上を上方へと延びており、それにより、スキー１０の上に載せるための面から高くなっている。各薄板は、相対的に異なった高さに置かれている２つの部分、それぞれ第１薄板前部分１４、第１薄板後部分１５、第２薄板前部分１６及び第２薄板後部分１７を有している。
第１薄板後部分１５は、第１薄板前部分１４に対して異なった高さに配置されており、第１薄板傾斜領域（傾斜部分）１８によって第１薄板前部分１４に接続されている。同様に、第２薄板後部分１７は、第２薄板前部分１６に対して異なった高さに配置されており、第２薄板傾斜領域（傾斜部分）１９によって第２薄板前部分１６に接続されている。
第１薄板傾斜領域１８において、第１薄板１２は、第２薄板傾斜領域１９が通過する幅広い縦長のスロット孔２０を有しており、上記第２薄板傾斜領域１９は第２薄板１３の他の部分と比較して適当に細くなっている。
このようにして、２つの薄板１２及び１３は、傾斜領域１８，１９で相互に交叉しており、そしていろいろな平面部分１４，１５，１６，１７は重なり合っている。
特に、図面を参照して、第１薄板前部分１４は第２薄板前部分１６に重なり、第２薄板後部分１７は第１薄板後部分１５に重なっている。
第１薄板前部分１４と第２薄板後部分１７は実質的に同じ高さに置かれており、第１薄板後部分１５と第２薄板前部分１６についても同じようになっている。
弾性部材あるいは同等の機能を有する装置から作られている前上部層２１、後上部層２２及び下部層２３の各層は、いろいろな重合部分１４，１５，１６，１７間及び上記部分１４，１５，１６，１７とスキー１０の間に都合よく挿入することができる。図示の例において、前上部層２１は第１薄板前部分１４と第２薄板前部分１６の間に挿入され、後上部層２２は第１薄板後部分１５と第２薄板後部分１７の間に挿入され、下部層２３はスキー１０の上部面と第１薄板後部分１５及び第２薄板前部分１６の各下部面の間に挿入されている。
第１薄板１２の前端部２４及び後端部２５と、第２薄板１３の前端部２６及び後端部２７もまた平面状に形成されると共に相互に重なり合い、第１薄板１２に関しては参照符号２８及び２９で示され第２薄板１３に関しては参照符号３０，３１で示されている傾斜部分によりスキー１０に結合されている。
上記端部２４，２５，２６，２７は、ねじ３６によってスキー１０に固定するために、それぞれ縦長のスロット孔、すなわち第１薄板１２のための孔３２，３３及び第２薄板１３のための孔３４，３５を有している。
重なり合っている端部２４，２６及び２５，２７にはそれぞれプレート３７及び３８が配置されている。
ねじ３６は、プレート３７，３８を通ると共に成形要素３９を通っており、各成形要素３９は、スロット孔３２，３３，３４及び３５の内面形状に合致する形状に形成された部分３９ａと、補完的に形成された成形部分３９ａに対して中央部に配置されている平行六面体部分又は幅狭い部分３９ｂを有している。
２つの部分３９ａ及び３９ｂは、実質的に薄板１２及び１３と同じ厚さを有している。
対応するねじ３６を固定した時には、成形要素３９は部分３９ａによって一つの薄板を固定するのに反して、部分３９ｂは、他の薄板を移動自在の状態に保っている。
各要素３９は、部分３９ａが頂部になるようにも底部になるようにも配置することができる。
装置１１は、薄板１２の前端部２４と薄板１３の後端部２７とがスライド自在となるように、一方、薄板１２の後端部２５と薄板１３の前端部は固定されるように、スキー２１に固定されている。
第１の薄板１２の高くなった前部分１４には、スキーバインディングのつま先ユニット４２を固定するための孔４１が配置されており、一方、バインディングのかかとユニット４４を固定するための孔４３は、第２薄板１３の後部分１７に配置されている。
バインディングはブーツがスキーの重心にくるように都合よく配置されている。
使用するに際し、カーブを通り抜ける時に、上側へと反るように湾曲しているスキーは、平坦状にせしめられてそれにより凸状が減少する。
その結果、スキーに固定されている各薄板１２及び１３の端部は、平面になろうとする動きに伴って、他の薄板の固定端部に対して動くことになり、しかるに上記薄板の自由端部が縦長方向に動いて、前記動きを補償する。
このようにブーツとスキーの間ではいつでも同じ関係（重心）位置が維持され、それにより、前記スキーをコントロールする能力は、常に最適な条件となる。
もし、装置が薄板の間に配置された弾性層を有しているならば、これらの層は雪に覆われた表面の凸凹によってあるいは雪で覆われた構造的な特徴の変化によってスキーにかかる垂直応力までも緩衝する。
実際に、この発明が意図した狙い及び目的が達成されることが述べられてきた。
このように創造された発明は、多くの修正や変形が可能であり、それらすべての変形例は本発明の概念の範囲に属する。
したがって、たとえば、その薄板の交叉については、実際の交わり合いがなくとも、例えば並んで配置されているそれらの２つの細い部分の間で行うことができる。
変形例として、薄板を相互に交叉はしないが、第１の固定端部とスキーに沿ってスライド自在な第２の端部とを、個別に備えた薄板を提供することは可能である。
バインディングの要素は、また、薄板の固定端部の周辺に固定してもよい。
また、たとえば雪で覆われた表面の変化条件（凍結状態、粉状態、圧縮状態、その他）にスキーの応答性を適合させるために、薄板を、たとえば、操作状況に応じて互いにそれらの可動性を変更する液圧アクチュエータに連結することにより、薄板が互いに作用し合うようにすることも可能である。
運動中におけるこの変更は、チャンバー間の流通を可能とするポートの変化によって、液圧流体が入った上記２つのチャンバー間でしみ出る液体の割合に変化を持たせるようにすることができる。
上記液圧アクチュエータは、スキーの変化しやすい領域に配置されると共に該領域にかかる圧力に対して感度の良いセンサーによって、コントロールすることができる。
最後に、可能な配置として、本願発明にしたがった装置は、スキー及び／又はバインディングの構造に一体的に組み込むこともできる。
すべての細部は、また、技術的に同様な他の要素に、さらに置き換えてもよい。
実際に用いられる材料は、その寸法と同様に、予測できない使い方でも受け入れることができるかぎり、その要求に従ったどのようなものでもよい。
【図１】
0003803112.tif 000002
【図２】
0003803112.tif 000003
【図３】
0003803112.tif 000004
【図４】
0003803112.tif 000005
【図５】
0003803112.tif 000006
【図７】
0003803112.tif 000007
【図６】
0003803112.tif 000008